(57)【特許請求の範囲】
【請求項１】
レバーを操作することによりコネクタキャップとコネクタハウジングとが嵌合および離脱するように構成されたコネクタであって、
前記コネクタハウジングには、前記コネクタキャップが内部に嵌合するフード部が設けられており、
前記レバーは、対向する一対の側板と、前記両側板を連結する連結部とを備えて構成されており、
前記両側板には、前記コネクタキャップに設けられたカムピンに係合可能なカム溝と、このカム溝に隣接して配置された係止突起とが設けられ、
前記レバーは、嵌合初期位置と嵌合完了位置との間を移動可能とされており、前記レバーを前記嵌合初期位置から前記嵌合完了位置まで移動させることで前記カムピンと前記カム溝との係合によるカム作用によって前記コネクタハウジングと前記コネクタキャップとが互いに嵌合されるように構成されており、
前記コネクタキャップにおける前記カムピンと隣接する位置には、解除部が設けられており、
前記フード部には、前記カムピンと前記解除部とを一括して内部に収容可能な切欠部が設けられており、
前記レバーは、前記係止突起と前記切欠部とが係止することで前記嵌合初期位置で保持されており、
前記コネクタハウジングと前記コネクタキャップとを正規の嵌合姿勢で組み付けた際には、前記嵌合初期位置で前記解除部が前記係止突起を押圧して前記レバーの前記両側板を開き変形させることで前記係止突起と前記切欠部との係止状態を解除して前記レバーが前記嵌合完了位置に向けて移動可能となる一方、
前記コネクタハウジングもしくは前記コネクタキャップの何れか一方が上下逆方向に反転した不正な嵌合姿勢で前記コネクタハウジングと前記コネクタキャップとを組み付けた際には、前記切欠部の開口縁部のうち前記カムピンの入口側であって正規に組み付けた場合における前記解除部とは対向しない側の開口縁部に対して前記解除部が嵌合方向に当接するようになっており、
前記不正な嵌合姿勢で組み付けた際における前記嵌合初期位置では、前記フード部内に前記コネクタキャップの嵌合方向前端部が嵌合すると共に、前記カムピンが前記カム溝に進入するようになっており、
前記解除部は、前記カムピンの基端部側において、前記カムピンの前端位置よりも嵌合方向後方に配置されるように前記カムピンと一体に設けられていることを特徴とするコネクタ。
【発明の詳細な説明】
【技術分野】
【０００１】
本発明は、コネクタキャップを備えたコネクタに関する。
【背景技術】
【０００２】
従来、車両におけるエアコンなどの機器に接続された機器側コネクタに接続されるコネクタとして、例えば特許文献１記載のものが知られている。このコネクタは、フード部を有するコネクタハウジングと、フード部の外面に回動可能に設けられたレバーとを備えて構成されている。フード部は、機器側コネクタと前後方向に嵌合可能に設けられている。フード部の内周側には、凹状のリブ収容部が前後方向に延びて設けられている。リブ収容部には、機器側コネクタの外周面に設けられたリブが嵌合されるようになっている。リブ収容部は、フード部内に機器側コネクタを嵌合させる際に、機器側コネクタのリブを収容することで、コネクタハウジングに対して機器側コネクタが上下逆向きに嵌合されることを防止している。
【０００３】
レバーは、初期位置と嵌合位置との間を回動可能に設けられている。このレバーには、機器側コネクタに設けられたカムピンに係合可能なカム溝が設けられている。コネクタハウジングと機器側コネクタとを嵌合させる際に、レバーを初期位置から嵌合位置へ回動操作することで、カムピンとカム溝が係合し、コネクタハウジングと機器側コネクタとがカム作用によって嵌合するようになっている。
【０００４】
また、フード部には、機器側コネクタのカムピンを収容するためにフード部の開口縁から後方に切り欠かれた切欠部が設けられている。一方、レバーには、切欠部と係止することによりレバーを初期位置に保持する係止突起が設けられている。このため、レバーを初期位置から嵌合位置へ回動操作させる際には、切欠部と係止突起との係止状態を解除する必要がある。そこで、機器側コネクタには、前記係止状態を解除させる解除リブが設けられている。両コネクタを嵌合させると、解除リブによって係止突起が解除方向に押し込まれて前記係止状態が解除されるようになっている。
【０００５】
ところで、例えば車両の種類によってはエアコンが搭載されない場合があり、その場合にはエアコンなどの機器に設けられた機器側コネクタに嵌合されない空きコネクタハウジングが車両内に留め置かれることになる。そのため、空きコネクタハウジングに対しては、そのコネクタハウジングの内部に水や埃などの異物が進入しないようにコネクタキャップが嵌合される。このようなコネクタキャップとしては、特許文献２に記載のものが知られている。また、この種のコネクタキャップは、その外面にブラケット装着部を設けることで、車両に設けられたブラケットに組付け固定され、このコネクタキャップに嵌合されたコネクタハウジングが車両内でふらつかないように固定している。
【先行技術文献】
【特許文献】
【０００６】
【特許文献１】特開２００９−６４７１９号公報
【特許文献２】特開２００９−１５２００１号公報
【発明の概要】
【発明が解決しようとする課題】
【０００７】
ところが、コネクタハウジングとコネクタキャップとが正規の嵌合姿勢に対して上下反転した不正な嵌合姿勢で嵌合されると、コネクタハウジングのレバーとコネクタキャップのブラケット取付部とが同じ側に配置されるため、レバーと車両のブラットとが干渉してしまいブラケットにコネクタキャップを組付けできなくなる。そのため、コネクタキャップにおいても、コネクタハウジングに対してコネクタキャップが不正な嵌合姿勢で嵌合しないようにしておく必要がある。
【０００８】
本発明は上記のような事情に基づいて完成されたものであって、コネクタキャップとコネクタハウジングとが不正な嵌合姿勢で嵌合できないようにすることを目的とする。
【課題を解決するための手段】
【０００９】
上記の目的を達成するための手段として本発明は、レバーを操作することによりコネクタキャップとコネクタハウジングとが嵌合および離脱するように構成されたコネクタであって、前記コネクタハウジングには、前記コネクタキャップが内部に嵌合するフード部が設けられており、前記レバーは、対向する一対の側板と、前記両側板を連結する連結部とを備えて構成されており、前記両側板には、前記コネクタキャップに設けられたカムピンに係合可能なカム溝と、このカム溝に隣接して配置された係止突起とが設けられ、前記レバーは、嵌合初期位置と嵌合完了位置との間を移動可能とされており、前記レバーを前記嵌合初期位置から前記嵌合完了位置まで移動させることで前記カムピンと前記カム溝との係合によるカム作用によって前記コネクタハウジングと前記コネクタキャップとが互いに嵌合されるように構成されており、前記コネクタキャップにおける前記カムピンと隣接する位置には、解除部が設けられており、前記フード部には、前記カムピンと前記解除部とを一括して内部に収容可能な切欠部が設けられており、前記レバーは、前記係止突起と前記切欠部とが係止することで前記嵌合初期位置で保持されており、前記コネクタハウジングと前記コネクタキャップとを正規の嵌合姿勢で組み付けた際には、前記嵌合初期位置で前記解除部が前記係止突起を押圧して前記レバーの前記両側板を開き変形させることで前記係止突起と前記切欠部との係止状態を解除して前記レバーが前記嵌合完了位置に向けて移動可能となる一方、前記コネクタハウジングもしくは前記コネクタキャップの何れか一方が上下逆方向に反転した不正な嵌合姿勢で前記コネクタハウジングと前記コネクタキャップとを組み付けた際には、前記切欠部の開口縁部のうち前記カムピンの入口側であって正規に組み付けた場合における前記解除部とは対向しない側の開口縁部に対して前記解除部が嵌合方向に当接するようになっており、前記不正な嵌合姿勢で組み付けた際における前記嵌合初期位置では、前記フード部内に前記コネクタキャップの嵌合方向前端部が嵌合すると共に、前記カムピンが前記カム溝に進入するようになっており、前記解除部は、前記カムピンの基端部側において、前記カムピンの前端位置よりも嵌合方向後方に配置されるように前記カムピンと一体に設けられているところに特徴を有する。
ここで、「コネクタキャップの嵌合方向前端部」とは、コネクタキャップの先端部を示しており、以下の説明において「コネクタキャップの先端部」と表現する場合もある。
【００１０】
このような構成のコネクタによると、コネクタハウジングに対してコネクタキャップを不正な嵌合姿勢で嵌合させようとした際に、解除部が切欠部の開口縁部に当接するので、コネクタハウジングとコネクタキャップとを不正な嵌合姿勢で嵌合できないようにすることができる。また、係止突起と切欠部との係止状態を解除する解除部を用いてコネクタハウジングとコネクタキャップとを不正な嵌合姿勢で嵌合できないようにすることができる。すなわち、解除部を逆嵌合防止部として兼用させることで、コネクタキャップに逆嵌合防止部を別途設けることなく、コネクタハウジングとコネクタキャップとが上下逆方向に嵌合できないようにすることができる。この結果、コネクタキャップの構造を簡素化することができ、コネクタキャップを成形する金型も簡素化することができる。
【００１１】
また、コネクタハウジングとコネクタキャップとを不正な嵌合姿勢で組み付けた際に、コネクタキャップの先端部がフード部内に嵌合することでコネクタキャップとコネクタハウジングとの相対的な位置関係が定まるため、解除部が切欠部内に進入することなく、解除部を切欠部の開口縁部に確実に当接させることができる。
【００１２】
また、コネクタハウジングとコネクタキャップとを不正な嵌合姿勢で組み付けた際に、カムピンがカム溝に進入することでコネクタキャップとコネクタハウジングとの相対的な位置関係が定まるため、解除部が切欠部内に進入することなく、解除部を切欠部の開口縁部に確実に当接させることができる。
【００１３】
また、カムピンと解除部とを個別に成形する場合に比べて、カムピンと解除部とを互いに補強することができる。また、カムピンと解除部とを内部に収容する切欠部を小型化することができる。これに伴って、フード部に大きな切欠部を形成した場合よりもフード部の剛性低下を抑えることができる。
【発明の効果】
【００１４】
本発明によれば、コネクタキャップとコネクタハウジングとが不正な嵌合姿勢で嵌合できないようにすることができる。
【図面の簡単な説明】
【００１５】
【図１】実施形態に係るコネクタキャップとコネクタハウジングとを正規の嵌合姿勢で組み付ける前の状態を示す斜視図
【図２】実施形態に係るコネクタハウジングの正面図
【図３】実施形態に係るコネクタキャップの正面図
【図４】同側面図
【図５】実施形態に係るコネクタキャップとコネクタハウジングとを正規嵌合した状態を示す側面図
【図６】実施形態に係るコネクタキャップとコネクタハウジングとを不正な嵌合姿勢で組み付けて切欠溝の開口縁部に解除部が当接した状態を示す斜視図
【図７】実施形態に係るコネクタキャップとコネクタハウジングとを不正な嵌合姿勢で組み付けて切欠溝の開口縁部に解除部が当接した状態を示す側面図
【発明を実施するための形態】
【００１６】
＜実施形態＞
本発明の一実施形態について図１乃至図７を参照しながら説明する。
本実施形態に係るコネクタは、レバー３０を回動可能に支持するコネクタハウジング１０と、コネクタハウジング１０に嵌合されるコネクタキャップ５０とを備えて構成されている。尚、以下の説明において「前」及び「後」とは、コネクタハウジング１０とコネクタキャップ５０とを嵌合させるための操作方向の前側及び後側をいう。
【００１７】
コネクタハウジング１０は合成樹脂製であって、図１及び図２に示すように、幅方向に横長とされ、前後方向略中央部より前側には前方に開口するフード部１１が設けられている。フード部１１の開口部は、上下四隅の角部が丸みを帯びた横長の略矩形状であって、上下方向にほぼ対称な形状に形成されている。フード部１１内には、コネクタハウジング１０の後方からフード部１１の奥壁を貫通して、更に前方に向かって延びる端子収容部１２が設けられている。この端子収容部１２は、その内部に図示しない雌型端子金具を収容可能としている。また、端子収容部１２の外周面におけるフード部１１の奥端には、ゴムリング１３が装着され、更に、その前方には、ゴムリング１３を前方向に抜け止めするゴムリングホルダ１４が端子収容部１２の前端部を覆うように装着されている。
また、フード部１１の幅方向両側壁には、フード部１１の前縁から後方に向かって切り欠かれた切欠溝（本発明の「切欠部」に相当する）１５が形成されている。この切欠溝１５は、前方に開口して、且つ、フード部１１の両側壁を幅方向に貫通して設けられている。また、コネクタハウジング１０の幅方向両外側面における切欠溝１５のやや後方の位置にはレバー３０を回動可能に支持する支持ピン１６がそれぞれの外側面から幅方向外側に突出して設けられている。また、コネクタハウジング１０の後方上面には、レバー３０を係止するための係止部１７が設けられている。
【００１８】
レバー３０は合成樹脂製であって、図２に示すように、正面視Ｕ字状をなし、対向する一対の側板３１と、両側板３１の前端上面同士を連結する連結部３２とを備えて構成されている。両側板３１は、図１に示すように、平板状をなし、外周端面の角部が丸みを帯びた形態をなしている。
両側板３１には、図５に示すように、コネクタハウジング１０の支持ピン１６に嵌合可能な軸孔３３が貫通して設けられている。この各軸孔３３にコネクタハウジング１０の支持ピン１６をそれぞれ嵌合させることで、レバー３０はコネクタハウジング１０に回動可能に支持されている。また、レバー３０は、図１に示すように、連結部３２がフード部１１の開口縁部に沿って配された嵌合初期位置と、図５に示すように、連結部３２がコネクタハウジング１０の係止部１７に係止された嵌合完了位置との間を回動可能とされている。また、レバー３０は、図２に示すように、両側板３１がコネクタハウジング１０を幅方向両側から挟み込むようにコネクタハウジング１０に支持されている。
【００１９】
また、側板３１には、コネクタハウジング１０の側面と対向する側の面と、側板３１の外周端面と、に開口するカム溝３４がそれぞれ設けられている。このカム溝３４は、側板３１の外周端面に設けられた開口位置からやや軸孔３３に向かって直線状に延びた後、軸孔３３に沿うように弧状に形成されている。カム溝３４における側板３１の外周端面側の開口は、後述するカムピン５１が進入可能なカムピン５１の入口であって、図１および図２に示すように、レバー３０が嵌合初期位置に配された状態では、前方に臨んだ状態となっている。また、カム溝３４におけるカムピン５１の入口から軸孔３３に向かって直線状に延びた部分は、レバー３０が嵌合初期位置に配された状態では、フード部１１の切欠溝１５に沿うように設定されている。
【００２０】
一方、コネクタキャップ５０は合成樹脂製であって、幅方向に横長で前方に開口したフード状に形成されている。また、コネクタキャップ５０における前方端部の外周形状は、上下四隅の角部が丸みを帯びた横長な略矩形状であって、上下対称に設けられている。
コネクタキャップ５０は、コネクタハウジング１０のフード部１１内に嵌合可能とされており、フード部１１内に嵌合された際には、コネクタキャップ５０の前後方向略中央部よりも前方側がフード部１１内に収容されるようになっている。また、コネクタキャップ５０がフード部１１内の正規の位置まで嵌合されると、フード部１１内の端子収容部１２はコネクタキャップ５０内に収容されるようになっている。また、コネクタキャップ５０がフード部１１内の正規の位置まで嵌合されて、コネクタキャップ５０内に端子収容部１２が収容されると、端子収容部１２に装着されたゴムリング１３はコネクタキャップ５０の内周面に密着し、端子収容部１２とコネクタキャップ５０との間を液密状にシールするようになっている。
また、コネクタキャップ５０は、コネクタハウジング１０のフード部１１よりも一回り小径に設けられている。これにより、コネクタキャップ５０とコネクタハウジング１０とは、正規に嵌合した際に、コネクタキャップ５０の外周面とフード部１１の内周面との間に全周に亘って僅かなクリアランスを有した状態で嵌合されるようになっている。このように、機器に設けられた図示しない機器側コネクタが嵌合されないコネクタハウジング１０に対しては、コネクタキャップ５０を嵌合させることで、水や埃などの異物が端子収容部１２内に浸入することを防止することができるようになっている。
【００２１】
また、コネクタキャップ５０の幅方向両側に位置する外側面には、図３及び図４に示すように、円柱状をなす一対のカムピン５１が設けられている。また、カムピン５１は、コネクタキャップ５０の両外側面から幅方向外側に突出して形成されている。また、カムピン５１は、コネクタキャップ５０の前縁からやや後方で、且つ、上下方向中央の位置に配されている。すなわち、コネクタキャップ５０のカムピン５１よりも前方側の外周形状は、両カムピン５１の軸心を結ぶ線を中心に上下対称となっている。
カムピン５１の外径寸法は、切欠溝１５及びカム溝３４の溝幅よりも小さく設けられており、図１及び図４に示すように、レバー３０が嵌合初期位置に配置された状態においては、カムピン５１が切欠溝１５及びカム溝３４に進入可能とされている。また、コネクタハウジング１０とコネクタキャップ５０とを嵌合させる際には、まず、フード部１１内にコネクタキャップ５０の先端部を嵌合させてカムピン５１を切欠溝１５及びカム溝３４に挿入させ、レバー３０を嵌合初期位置から嵌合完了位置まで回動させてカムピン５１とカム溝３４とを係合させることで、コネクタハウジング１０とコネクタキャップ５０とがカム作用によって互いに引き寄せられて正規に嵌合されるようになっている。
【００２２】
また、コネクタキャップ５０の下面には、図１及び図３に示すように、ブラケット装着部５２が設けられている。このブラケット装着部５２は、車両に設けられた図示しないブラケットに装着されることで、コネクタキャップ５０に嵌合されたコネクタハウジング１０が車両内でふらつかないように車両に固定する役割を果たしている。
【００２３】
さて、コネクタキャップ５０の幅方向両側にはカムピン５１の基端側にカムピン５１と一体に解除部５３が設けられている。この解除部５３は、図３及び４に示すように、カムピン５１の前端から斜め上後方に向かって弧状に設けられている。すなわち、カムピン５１の基端部は、ブラケット装着部５２が設けられた側（下側）とは反対側（上側）に解除部５３が膨出した形態となっており、カムピン５１の前端より後方は上下非対称となっている。また、解除部５３は、図１に示すように、カムピン５１の前端の位置から後方に向かってコネクタキャップ５０の側面から離れる方向に傾斜する前方傾斜面５３Ａを有しており、前方傾斜面５３Ａの後端からコネクタキャップ５０の側面と平行となるように後方にやや延びた後、コネクタキャップ５０の側面に向かって傾斜した形態をなしている。
【００２４】
また、フード部１１の切欠溝１５は、カムピン５１及び解除部５３の外周形状に適合して、切欠溝１５における後方上端が弧状に設けられている。また、切欠溝１５の上下方向の幅寸法は、解除部５３の上下方向の幅寸法よりも僅かに大きく、カムピン５１及び解除部５３の形状に沿って形成されている。これにより、切欠溝１５には、図５に示すように、コネクタハウジング１０とコネクタキャップ５０とが正規の嵌合姿勢で嵌合された際には、カムピン５１及び解除部５３が前方から一括して内部に収容されるようになっている。すなわち、切欠溝１５の前端開口における上下方向の中央位置は、フード部１１の前端開口における上下方向中央位置よりも僅かに上方に位置している。これにより、切欠溝１５には、図５に示すように、コネクタハウジング１０とコネクタキャップ５０とが正規の嵌合姿勢で嵌合された際には、カムピン５１及び解除部５３が前方から一括して内部に収容されるようになっている。また、切欠溝１５の内部にカムピン５１及び解除部５３を収容した状態では、切欠溝１５における上下方向の中央位置は、カムピン５１の軸心よりもやや上方に偏心して配されている。
【００２５】
一方、レバー３０の側板３１には、図２に示すように、前後方向に延びる係止突起３５が設けられている。また、係止突起３５は、カム溝３４の上側開口縁部に位置している。この係止突起３５は、フード部１１の切欠溝１５に幅方向外側から内側に向かって嵌り込んで収容可能とされている。また、係止突起３５は、レバー３０が嵌合初期位置に配置された際に、切欠溝１５内に収容され、切欠溝１５の内壁における上面と係止することで、レバー３０を嵌合初期位置に保持するようになっている。また、係止突起３５は、図１に示すように、切欠溝１５内において解除部５３の進入経路上に配されている。これにより、コネクタハウジング１０とコネクタキャップ５０とを正規の嵌合姿勢に組み付けた時には、切欠溝１５内に解除部５３が収容され、解除部５３の前方傾斜面５３Ａが係止突起３５に当接する。更にそのまま、コネクタハウジング１０とコネクタキャップ５０とを嵌合させると、係止突起３５が前方傾斜面５３Ａに摺接しながら解除部５２に乗り上げた状態となり、両側板３１が開き変形することで、係止突起３５と切欠溝１５の内壁上面との係止状態が解除され、嵌合初期位置に保持されたレバー３０の回動が許容される。
【００２６】
本実施形態は以上のような構成であって、続いてその作用を説明する。
まず、図１に示すように、コネクタキャップ５０とコネクタハウジング１０とを互いに正規の嵌合姿勢に向かい合わせ、コネクタキャップ５０とコネクタハウジング１０とを組み付ける。
【００２７】
コネクタキャップ５０とコネクタハウジング１０とを組み付けて、コネクタキャップ５０の先端部とコネクタハウジング１０のフード部１１とを浅く嵌合させると、カムピン５１が前方からカム溝３４の入口に僅かに進入し、続けてフード部１１の切欠溝１５に進入する。このとき、解除部５３もカムピン５１と共に、前方から切欠溝１５に進入し、両解除部５３によって両側板３１が開き方向に変形して、レバー３０が回動可能とされる。
【００２８】
引き続き、レバー３０を嵌合初期位置から嵌合完了位置へ回動させると、カムピン５１がカム溝３４に沿ってカム溝３４の奥部へ移動し、カムピン５１とカム溝３４のカム作用によってコネクタキャップ５０とコネクタハウジング１０とが互いに引き寄せられる。そして、レバー３０が嵌合完了位置に至ると、コネクタキャップ５０とコネクタハウジング１０とが正規に嵌合される。
【００２９】
ところが、コネクタキャップ５０もしくはコネクタハウジング１０のどちらかが上下逆方向に反転した不正な嵌合姿勢でコネクタキャップ５０とコネクタハウジング１０とを組み付け、コネクタキャップ５０の先端部とコネクタハウジング１０のフード部１１とを浅く嵌合させると、カムピン５１がカム溝３４に僅かに進入したところで、図６及び図７に示すように、切欠溝１５の前端下側開口縁（フード部１１の前縁）に解除部５３が前方から当接する。詳細には、フード部１１の前端開口にコネクタキャップ５０の先端部を嵌合させ、レバー３０のカム溝３４に対してカムピン５１を進入させると、カムピン５１が切欠溝１５の下方部分に進入することになり、カムピン５１の更に下方に位置する解除部５３は切欠溝１５に進入することなく、切欠溝１５の前端下側開口縁に前方から当接する。すなわち、切欠溝１５の前端開口縁部のうち、コネクタキャップ５０とコネクタハウジング１０とを正規な嵌合姿勢で組み付けた場合における解除部５３とは対向しない側の開口縁部（図７における図示下側の開口縁部）に解除部５３が前方から当接する。これにより、解除部５３と切欠溝１５の前端下側開口縁とが当接した位置からコネクタキャップ５０とコネクタハウジング１０とを更に嵌合させることができなくなることをもって不正な嵌合状態であることが検知される。こうして、コネクタキャップ５０とコネクタハウジング１０とが不正な嵌合姿勢で嵌合されることを防止することができる。
【００３０】
以上のように、本実施形態では、係止突起３５と切欠溝１５との係止状態を解除する解除部５３を、コネクタハウジング１０とコネクタキャップ５０とが不正な嵌合姿勢で嵌合できないようにする逆嵌合防止として兼用することができる。したがって、コネクタキャップ５０に逆嵌合防止部材を別途設ける必要がなく、コネクタキャップ５０の構造を簡素化することができる。この結果、コネクタキャップ５０を成形する金型を簡素化することが可能となり、製造コストの低減を図ることができる。
【００３１】
また、コネクタキャップ５０におけるカムピン５１はレバー３０のカム溝３４と係合してコネクタキャップ５０とコネクタハウジング１０とをカム作用によって嵌合させ、解除部５３はレバー３０の係止突起３５と当接することでレバー３０の両側板３１を開き変形させるので、カムピン５１及び解除部５３には、大きな負荷がかかることになる。その点、本実施形態によると、カムピン５１の基端側に解除部５３がカムピン５１と一体に設けられているので、カムピン５１と解除部５３とが互いに補強する関係となり、カムピン５１及び解除部５３を個別に成形する場合に比べて、好適である。更に、解除部５３をカムピン５１と一体に形成したので、カムピン５１と解除部５３とを内部に収容する切欠溝１５を小型化することができる。これにより、フード部１１に大きな切欠溝を形成した場合に比べてフード部１１の剛性低下を抑えることができるようになっている。
【００３２】
＜他の実施形態＞
本発明は上記記述及び図面によって説明した実施形態に限定されるものではなく、例えば次のような実施形態も本発明の技術的範囲に含まれる。
（１）上記実施形態では、コネクタハウジング１０にレバー３０が回動可能に設けられた構成としたが、本発明はこのような態様に限定されるものではなく、例えば、レバーがスライド可能に設けられたスライドレバー式のコネクタに適用させてもよい。
（２）上記実施形態では、切欠溝１５の後端部にカムピン５１及び解除部５３の先端部が配されるような構成としたが、本発明はこのような態様に限定されるものではなく、例えば、切欠溝１５が後方に向かって深く切り欠かれることで、カムピン５１及び解除部５３の先端部が切欠溝１５の中央に配されるように構成してもよい。
【００３３】
（３）上記実施形態では、コネクタハウジング１０のフード部１１における開口部及びコネクタキャップ５０の開口部の外周形状を上下四隅の角部が丸みを帯びた略矩形状に構成したが、本発明はこのような態様に限定されるものではない。例えば、フード部１１における開口部及びコネクタキャップ５０の開口部の外周形状が円形や楕円形、若しくは上下四隅の角部が尖った矩形状に形成されていてもよい。
【符号の説明】
【００３４】
１０：コネクタハウジング
１１：フード部
１５：切欠溝（切欠部）
３０：レバー
３１：側板
３２：連結部
３４：カム溝
３５：係止突起
５０：コネクタキャップ
５１：カムピン
５３：解除部
【図１】
0005516353.tif 000002
【図２】
0005516353.tif 000003
【図３】
0005516353.tif 000004
【図４】
0005516353.tif 000005
【図５】
0005516353.tif 000006
【図６】
0005516353.tif 000007
【図７】
0005516353.tif 000008